(57)【要約】【課題】一層実物の本の取り扱いに近い操作ができ、実物の本に慣れている利用者に違和感を与えることなく、利用者の使い勝手を向上した表示装置、表示方法、コンピュータプログラム及び記録媒体を提供する。【解決手段】複数ページの画像からなる電子書籍において、該電子書籍の総ページ数、表示中のページ番号に応じて、表示部６に該電子書籍の縁部画像１３が表示され、タッチパネル８１が縁部画像１３の内側で位置指定を受け付けた場合、タッチパネル８１が受け付けた位置指定に係る位置に基づき、所定のページが特定される。【選択図】図４
2012190277.tif 000002
【特許請求の範囲】
【請求項１】
複数ページの画像からなる画像群の１つ又は複数のページが表示される表示部と、該表示部の表示画面上の位置指定を受け付ける位置受付手段とを備え、該位置受付手段が受け付けた位置指定に基づき、前記画像群の何れかのページを表示する表示装置において、
前記画像群の総ページ数、表示中のページ番号に応じて、重なった複数ページ夫々の縁部が列なった縁部画像を表示する縁表示手段と、
前記位置受付手段が前記縁部画像内で位置指定を受け付けた場合、受け付けた位置指定に係る位置に基づき、ページを特定する特定手段と
を備えることを特徴とする表示装置。
【請求項２】
ページの表示内容を表す索引情報をページ毎に記憶している記憶部と、
前記特定手段によって特定されたページの索引情報を表示する情報表示手段と
を備えることを特徴とする請求項１に記載の表示装置。
【請求項３】
前記縁部画像内で受け付けた位置指定が複数である場合、
前記情報表示手段は最後の位置指定に係るページの索引情報を表示するように構成してあることを特徴とする請求項２に記載の表示装置。
【請求項４】
前記位置受付手段は、
前記表示部を覆っており、前記表示画面への接触を検知して接触位置の座標を検出するタッチパネルを備え、
前記縁部画像外及び前記縁部画像内で共に接触が検知された場合、該縁部画像内での位置指定を受け付けるように構成されおり、
何れか一方の接触の離隔が検出された場合、前記特定手段によって特定されたページが表示されるように構成してあることを特徴とする請求項１から３の何れか１つに記載の表示装置。
【請求項５】
前記位置受付手段は、
前記表示部を覆っており、前記表示画面への接触を検知して接触位置の座標を検出するタッチパネルを備え、
前記縁部画像外及び前記縁部画像内で共に接触が検知された場合、該縁部画像内での位置指定を受け付けるように構成されおり、
何れか一方の接触の離隔が検出された場合、ページが捲られる動画を表示する動画表示手段を備え、
該動画表示手段が前記動画を表示した後、前記特定手段によって特定されたページが表示されるように構成してあることを特徴とする請求項１から３の何れか１つに記載の表示装置。
【請求項６】
前記縁部画像外及び縁部画像内での接触の位置間の距離が所定の閾値以下である場合、
前記特定手段はページの特定を中止するように構成してあることを特徴とする請求項４又は５に記載の表示装置。
【請求項７】
前記表示部の２個所に前記縁部画像が表示され、
何れの縁部画像にて位置指定を受け付けたかに基づき、
前記動画表示手段は、ページ番号の昇順又は降順方向にページが捲られる動画を表示するように構成してあることを特徴とする請求項５又は６に記載の表示装置。
【請求項８】
複数ページの画像からなる画像群の１つ又は複数のページが表示される表示部と、該表示部の表示画面上の位置指定を受け付ける位置受付手段と、ページの表示内容を表す索引情報をページ毎に記憶している記憶部とを備え、前記位置受付手段が受け付けた位置指定に基づき、前記画像群の何れかのページを表示する表示方法において、
前記画像群の総ページ数、表示中のページ番号に応じて、重なった複数ページ夫々の縁部が列なった縁部画像を表示するステップと、
前記位置受付手段が前記縁部画像内で位置指定を受け付けた場合、受け付けた位置指定に係る位置に基づき、ページを特定する特定ステップと、
該特定ステップにて特定されたページの索引情報を表示するステップと
を含むことを特徴とする表示方法。
【請求項９】
複数ページの画像からなる画像群の１つ又は複数のページが表示される表示部と、該表示部の表示画面上の位置指定を受け付ける位置受付手段と、ページの表示内容を表す索引情報をページ毎に記憶している記憶部とを備える表示装置を構成するコンピュータに、前記位置受付手段が受け付けた位置指定に基づき、前記画像群の何れかのページを表示させるコンピュータプログラムにおいて、
コンピュータに、前記画像群の総ページ数、表示中のページ番号に応じて、重なった複数ページ夫々の縁部が列なった縁部画像を表示させるステップと、
コンピュータに、前記位置受付手段が前記縁部画像内で位置指定を受け付けた場合、受け付けた位置指定に係る位置に基づき、ページを特定させる特定ステップと、
コンピュータに、前記特定ステップにて特定されたページの索引情報を表示させるステップと
を実行させることを特徴とするコンピュータプログラム。
【請求項１０】
請求項９に記載のコンピュータプログラムを記録してあることを特徴とするコンピュータでの読み取りが可能な記録媒体。
【発明の詳細な説明】
【技術分野】
【０００１】
本発明は、複数ページの画像からなる画像群の何れかのページを表示する表示装置、表示方法、コンピュータプログラム、並びに該コンピュータプログラムが記録される記録媒体に関する。
【背景技術】
【０００２】
近年、デジタルコンテンツを再生できるさまざまな携帯型情報端末が普及している。例えば、いわゆる電子書籍をインストールして、場所と時間を選ばず読書を楽しむことができる携帯型情報端末を挙げることができる。
【０００３】
その他、特許文献１においては、利用者の指の軌跡（指操作の始点と終点とを線分で結んでできる入力始終点ベクトル）に応じて表示中のページをめくり、又はスクロールできる情報処理装置が開示されている。
【０００４】
また、特許文献２においては、表示部に接触した指の接触圧力、接触面積、接触位置を検出する指入力検出部と、検出された指の接触圧力、接触面積、接触位置、指の移動方向に基づき、ページめくり入力、連続ページめくり入力、しおり挿入、しおり挿入箇所参照入力等を判断する指入力判断部と、頁画像の更新制御を行うページ画像更新制御部と、しおりの挿入、参照処理を行うしおり処理部と、表示部に表示する画像を生成する画像生成部とを備え、ページめくり等の操作入力を使い勝手のよいヒューマンインターフェースを実現できる携帯情報機器が開示されている。
【０００５】
更に、特許文献３においては、タッチパネルに指がタッチされた際の接近速度（又は加速度）に応じてめくり量を変更するタッチパネル付きユーザインタフェース装置が開示されている。
【先行技術文献】
【特許文献】
【０００６】
【特許文献１】特開平８−１９４６６７号公報
【特許文献２】特開２０００−１６３１９３号公報
【特許文献３】特開２０１０−２０５０５０号公報
【発明の概要】
【発明が解決しようとする課題】
【０００７】
しかしながら、上述したような従来の携帯型情報端末においては、実物の本の再現という点では充実されておらず、該情報端末の使用において実物の本とは相違する操作が要求されることから、実物の本に慣れている利用者に違和感を与える場合がある。
【０００８】
例えば、実物の本が両開きされている状態において、読者が複数ページをめくる場合、読者はページの縁部分（又は厚み部分）に指を入れて無作為に複数のページをつかみ、一気にめくる動作を行う。しかし、このような利用者（読者）の動作の再現については、特許文献１〜特許文献３に係る発明の何れにおいても、考慮されていない。
【０００９】
本発明は、斯かる事情に鑑みてなされたものであり、その目的とするところは、複数ページの画像からなる画像群の１つ又は複数のページが表示される表示部と、該表示部の表示画面上の位置指定を受け付ける位置受付手段とを備え、該位置受付手段が受け付けた位置指定に基づき、前記画像群の何れかのページを表示する表示装置において、前記画像群の総ページ数、表示中のページ番号に応じて、重なった複数ページ夫々の縁部が列なった縁部画像が前記表示部に表示され、前記位置受付手段が前記縁部画像内で位置指定を受け付けた場合、前記位置受付手段が受け付けた位置指定に係る位置に基づき、所定のページが特定されることにより、一層実物の本の取り扱いに近い操作ができ、実物の本に慣れている利用者に違和感を与えることなく、利用者の使い勝手を向上した表示装置、表示方法、コンピュータプログラム及び記録媒体を提供することにある。
【課題を解決するための手段】
【００１０】
本発明に係る表示装置は、複数ページの画像からなる画像群の１つ又は複数のページが表示される表示部と、該表示部の表示画面上の位置指定を受け付ける位置受付手段とを備え、該位置受付手段が受け付けた位置指定に基づき、前記画像群の何れかのページを表示する表示装置において、前記画像群の総ページ数、表示中のページ番号に応じて、重なった複数ページ夫々の縁部が列なった縁部画像を表示する縁表示手段と、前記位置受付手段が前記縁部画像内で位置指定を受け付けた場合、受け付けた位置指定に係る位置に基づき、ページを特定する特定手段とを備えることを特徴とする。
【００１１】
本発明にあっては、前記縁表示手段が前記画像群の総ページ数、表示中のページ番号に応じて、前記表示部に前記縁部画像を表示し、前記位置受付手段が前記縁部画像内で位置指定を受け付けた場合、前記特定手段は、前記位置受付手段が受け付けた位置指定に係る位置に基づき、所定のページを特定する。
【００１２】
本発明に係る表示装置は、ページの表示内容を表す索引情報をページ毎に記憶している記憶部と、前記特定手段によって特定されたページの索引情報を表示する情報表示手段とを備えることを特徴とする。
【００１３】
本発明にあっては、前記位置受付手段が受け付けた位置指定に係る位置に基づき、前記特定手段が所定のページを特定した場合、前記記憶部に記憶されている索引情報に基づき、前記情報表示手段が、前記特定手段によって特定されたページの索引情報を表示部に表示する。
【００１４】
本発明に係る表示装置は、前記縁部画像内で受け付けた位置指定が複数である場合、前記情報表示手段は最後の位置指定に係るページの索引情報を表示するように構成してあることを特徴とする。
【００１５】
本発明にあっては、前記位置受付手段が前記縁部画像内で複数の位置指定を受け付けた場合は、前記情報表示手段は、既に表示されていた索引情報は削除し、最後の位置指定に係るページの索引情報を表示する。
【００１６】
本発明に係る表示装置は、前記位置受付手段は、前記表示部を覆っており、前記表示画面への接触を検知して接触位置の座標を検出するタッチパネルを備え、前記縁部画像外及び前記縁部画像内で共に接触が検知された場合、該縁部画像内での位置指定を受け付けるように構成されおり、何れか一方の接触の離隔が検出された場合、前記特定手段によって特定されたページが表示されるように構成してあることを特徴とする。
【００１７】
本発明にあっては、前記位置受付手段は前記タッチパネルを介して前記縁部画像外及び前記縁部画像内で共に接触を検知した場合、該縁部画像内での位置指定を受け付ける。この後、前記位置受付手段が前記タッチパネルを介して何れか一方の接触の離隔を検出した場合、前記特定手段によって特定されたページの画像が前記表示部に表示される。
【００１８】
本発明に係る表示装置は、前記位置受付手段は、前記表示部を覆っており、前記表示画面への接触を検知して接触位置の座標を検出するタッチパネルを備え、前記縁部画像外及び前記縁部画像内で共に接触が検知された場合、該縁部画像内での位置指定を受け付けるように構成されおり、何れか一方の接触の離隔が検出された場合、ページが捲られる動画を表示する動画表示手段を備え、該動画表示手段が前記動画を表示した後、前記特定手段によって特定されたページが表示されるように構成してあることを特徴とする。
【００１９】
本発明にあっては、前記位置受付手段は前記タッチパネルを介して前記縁部画像外及び前記縁部画像内で共に接触を検知した場合、該縁部画像内での位置指定を受け付ける。この後、前記位置受付手段が前記タッチパネルを介して何れか一方の接触の離隔を検出した場合、前記動画表示手段はページが捲られる動画を表示し、該動画表示手段が該動画を表示した後、前記特定手段によって特定されたページの画像が前記表示部に表示される。
【００２０】
本発明に係る表示装置は、前記縁部画像外及び縁部画像内での接触の位置間の距離が所定の閾値以下である場合、前記特定手段はページの特定を中止するように構成してあることを特徴とする。
【００２１】
本発明にあっては、前記位置受付手段が前記タッチパネルを介して検知した前記縁部画像外及び前記縁部画像内での接触に係る位置間の距離が所定の閾値以下である場合、前記特定手段はページの特定を中止する。従って、前記情報表示手段による索引情報の表示も中止される。
【００２２】
本発明に係る表示装置は、前記表示部の２個所に前記縁部画像が表示され、何れの縁部画像にて位置指定を受け付けたかに基づき、前記動画表示手段は、ページ番号の昇順又は降順方向にページが捲られる動画を表示するように構成してあることを特徴とする。
【００２３】
本発明にあっては、前記縁表示手段は、前記表示部の２個所に前記縁部画像を表示する。前記動画表示手段は、前記２個所の縁部画像の中、何れの縁部画像にて位置指定を受け付けたかに基づき、ページ番号の昇順又は降順方向にページが捲られる動画を表示する。
【００２４】
本発明に係る表示方法は、複数ページの画像からなる画像群の１つ又は複数のページが表示される表示部と、該表示部の表示画面上の位置指定を受け付ける位置受付手段と、ページの表示内容を表す索引情報をページ毎に記憶している記憶部とを備え、前記位置受付手段が受け付けた位置指定に基づき、前記画像群の何れかのページを表示する表示方法において、前記画像群の総ページ数、表示中のページ番号に応じて、重なった複数ページ夫々の縁部が列なった縁部画像を表示するステップと、前記位置受付手段が前記縁部画像内で位置指定を受け付けた場合、受け付けた位置指定に係る位置に基づき、ページを特定する特定ステップと、該特定ステップにて特定されたページの索引情報を表示するステップとを含むことを特徴とする。
【００２５】
本発明に係るコンピュータプログラムは、複数ページの画像からなる画像群の１つ又は複数のページが表示される表示部と、該表示部の表示画面上の位置指定を受け付ける位置受付手段と、ページの表示内容を表す索引情報をページ毎に記憶している記憶部とを備える表示装置を構成するコンピュータに、前記位置受付手段が受け付けた位置指定に基づき、前記画像群の何れかのページを表示させるコンピュータプログラムにおいて、コンピュータに、前記画像群の総ページ数、表示中のページ番号に応じて、重なった複数ページ夫々の縁部が列なった縁部画像を表示させるステップと、コンピュータに、前記位置受付手段が前記縁部画像内で位置指定を受け付けた場合、受け付けた位置指定に係る位置に基づき、ページを特定させる特定ステップと、コンピュータに、前記特定ステップにて特定されたページの索引情報を表示させるステップとを実行させることを特徴とする。
【００２６】
本発明にあっては、前記画像群の総ページ数、表示中のページ番号に応じて、前記表示部に前記縁部画像が表示され、前記位置受付手段が前記縁部画像内で位置指定を受け付けた場合、前記位置受付手段が受け付けた位置指定に係る位置に基づき、所定のページが特定される。また、所定のページが特定された場合、前記記憶部に記憶されている索引情報に基づき、特定されたページの索引情報が表示部に表示される。
【００２７】
本発明に係る記録媒体は、前述の発明のコンピュータプログラムを記録してあることを特徴とする。
【００２８】
本発明にあっては、前記記録媒体に前述のコンピュータプログラムを記録する。コンピュータが前記記録媒体からコンピュータプログラムを読み出して、前述の表示装置及び表示方法がコンピュータにより実現される。
【発明の効果】
【００２９】
本発明によれば、一層実物の本の取り扱いに近い操作ができるので、実物の本に慣れている利用者であっても違和感を感じることなく、実物の本を取り扱うような感覚にて装置の操作ができ、利用者の使い勝手を向上できる。
【図面の簡単な説明】
【００３０】
【図１】本発明の実施の形態１の書籍データ表示装置の要部構成を示す機能ブロック図である。
【図２】本発明の実施の形態１に係る書籍データ表示装置の縁表示部の作用を説明する説明図である。
【図３】本発明の実施の形態１に係る書籍データ表示装置のページ特定部の作用を説明する説明図である。
【図４】本発明の実施の形態１に係る書籍データ表示装置の情報表示部の作用を説明する説明図である。
【図５】本発明の実施の形態１に係る書籍データ表示装置の動画表示部による動画表示を説明する説明図である。
【図６】本発明の実施の形態１に係る書籍データ表示装置の動画表示部による動画表示を説明する説明図である。
【図７】本発明の実施の形態１に係る書籍データ表示装置の処理を説明するフローチャートである。
【図８】本発明の実施の形態２に係る書籍データ表示装置の処理を説明するフローチャートである。
【図９】本発明の実施の形態２に係る書籍データ表示装置の動画表示部による動画表示を説明する説明図である。
【図１０】本発明の実施の形態３の書籍データ表示装置の要部構成を示す機能ブロック図である。
【発明を実施するための形態】
【００３１】
以下に、本発明の実施の形態に係る表示装置、表示方法及びコンピュータプログラムを、いわゆる電子ブックの機能を有する書籍データ表示装置に適用した場合を例として、図面に基づいて詳述する。
（実施の形態１）
図１は本発明の実施の形態１の書籍データ表示装置１００の要部構成を示す機能ブロック図である。書籍データ表示装置１００はＣＰＵ１、ＲＯＭ２及びＲＡＭ３を備えている。
【００３２】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００３３】
ＣＰＵ１は、ＲＯＭ２に予め格納されている制御プログラムをＲＡＭ３上にロードして実行することによって、バスＮを介して下記の各種ハードウェアの制御を行い、装置全体を本発明の書籍データ表示装置１００として動作させる。また、ＣＰＵ１は、後述する位置受付部８を介して、利用者から所定処理の指示を受け付ける。
【００３４】
本発明の実施の形態１の書籍データ表示装置１００は、記憶部４と、Ｉ／Ｆ（Inter Face）５と、表示部６と、表示制御部７と、位置受付部８と、縁表示部９と、ページ特定部１０と、情報表示部１１と、動画表示部１２とを更に備えている。
【００３５】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部４には書籍データが記憶されている。該書籍データはページ単位の複数の画像からなる電子書籍のコンテンツデータであり、表示制御部７は該書籍データに基づき、表示部６に電子書籍のコンテンツを表示する。
【００３６】
また、記憶部４には、表示部６に表示される動画のデータである、動画データ１及び動画データ２が記憶されている。動画データ１に係る動画は表示された電子書籍のページ画像をページ番号の昇順方向に捲る動画であり、動画データ２に係る動画は表示された電子書籍のページ画像をページ番号の降順方向に捲る動画である。
【００３７】
更に、記憶部４には、電子書籍の各ページの表示内容を簡略に表す索引情報を記憶している。すなわち、記憶部４は電子書籍のページ毎の索引情報を記憶している。該索引情報は、例えば、斯かるページの属する章番号、ページ番号、頻出単語等である。
【００３８】
また、記憶部４には、後述するように、ＣＰＵ１が受け付けた２つの位置指定に係る位置間の距離との比較に用いられる閾値が記憶されている。
【００３９】
前記書籍データはＩ／Ｆ５を介して外部の通信ネットワークからダウンロードされるか、又は図示しない可搬型の記録媒体に記録された書籍データが読み込まれ、記憶部４に記憶される。
【００４０】
表示部６は、例えば、ＬＣＤ又はＥＬ（Electroluminescence）パネル等からなり、電子書籍の所定のページが表示される。また、表示部６の表示画面は位置受付部８によって覆われている。
【００４１】
表示制御部７は、ＤＳＰ（Digital Signal Processor）のようなプロセッサにより構成され、表示部６への画像表示を制御する。例えば、ＣＰＵ１の指示に応じて表示部６に表示すべき画像の画像データを生成する。例えば、表示制御部７は前記書籍データに基づき、表示部６に表示すべき電子書籍の所定ページの画像データを生成し、生成された画像データに基づくページの画像を表示部６に表示する。
【００４２】
位置受付部８は、いわゆるタッチパネル８１を有し、タッチパネル８１は表示部６の表示画面を覆うように設けられている。従って、位置受付部８は利用者のタッチ操作により表示部６の表示画面上における所定位置の位置指定を受け付けることができる。位置受付部８は利用者の指先のタッチ操作による圧力の変化を検知し、又は静電気による電気信号を検知して、利用者の指先の接触位置に対応する表示部６の表示画面上の座標を検出し、該座標を特定する信号を発生する。また、位置受付部８は、これに限るものでなく、ポインティングデバイス（例えば、スタイラスペン）等による構成であっても良い。
【００４３】
縁表示部９は、表示部６に表示される電子書籍の所定ページに縁部画像を表示する。該縁部画像は、複数ページが重なっている場合に、下方に行くにつれて各ページの縁部が少しずつはみ出して、夫々の端部が列なった状態で形成される長方形の領域であり、換言すれば、実物の本を両開きした状態における、左ページの左側の厚み部分又は右ページの右側の厚み部分を表す画像である。図２は本発明の実施の形態１に係る書籍データ表示装置１００の縁表示部９の作用を説明する説明図である。説明の便宜上、両開きの画像を例として説明する。
【００４４】
表示部６に表示される電子書籍の左ページＬ及び右ページＲには夫々文字列が表示されており、縁表示部９は、左ページＬの左端及び右ページＲの右端に夫々縁部画像１３を表示している。また、縁表示部９は電子書籍の総ページ数、現在表示中のページ番号に応じて縁部画像１３を表示する。
【００４５】
例えば、電子書籍の総ページが３００ページであり、左ページＬには１５０ページが表示され、右ページＲには１５１ページが表示されている場合、縁表示部９は左ページＬの縁部画像１３と、右ページＲの縁部画像１３との幅（図面視横方向）が同一になるように表示する。
【００４６】
一方、左ページＬには５０ページが表示され、右ページＲには５１ページが表示されている場合、すなわち、左ページＬの縁部画像１３は１〜４９ページに該当し、右ページＲの縁部画像１３は５２〜３００ページに該当する場合、縁表示部９は左ページＬの縁部画像１３より、右ページＲの縁部画像１３の幅が５倍になるように表示される。従って、より実物の本に近い感覚を利用者にもたらせることができる。
【００４７】
ページ特定部１０は、位置受付部８が何れかの縁部画像１３にて位置指定を受け付けた場合、該位置指定に係る位置に基づき、何れかのページを特定する。図３は本発明の実施の形態１に係る書籍データ表示装置１００のページ特定部１０の作用を説明する説明図である。説明の便宜上、表示部６に表示された電子書籍の右ページＲの縁部画像１３を利用者がタッチする場合を例として説明する。
【００４８】
利用者は、右手の食指及び中指を使って実物の本をページめくりするように、表示部６の表示画面（位置受付部８）に食指及び中指を共に触れる。斯かる際、食指は縁部画像１３の外側であり、中指は縁部画像１３の内側である。これにより、位置受付部８はページＲの縁部画像１３にて位置指定（「１」の位置）を受け付ける。該「１」の位置は、右ページＲの縁部画像１３の幅方向において、右端から１／３の位置である。
【００４９】
この場合、位置受付部８は、食指でタッチされた位置と、中指にてタッチされた位置の位置指定を受け付ける。このようにして、利用者から受け付けた位置指定に係る２つの位置の座標を特定する信号は、位置受付部８によって、ＣＰＵ１及びページ特定部１０に送出される。
【００５０】
ページ特定部１０は、位置受付部８から取得した前記座標を特定する信号に基づき、該座標（位置）に対応するページを特定する。例えば、該座標に基づき、中指にてタッチされた位置に係る「１」の位置は、右ページＲの縁部画像１３の幅方向において、右端から１／３の位置であると判定され、上述したように、右ページＲの縁部画像１３が５２〜３００ページに該当する場合は、ページ特定部１０は５２〜３００ページの１／３に相当する２１８ページを特定する。ページ特定部１０による特定結果はＲＡＭ３に記憶され、ＣＰＵ１はページ特定部１０によって特定されたページの画像を表示部６に表示するように表示制御部７に指示する。
【００５１】
情報表示部１１は、ページ特定部１０によって特定されたページ（以下、被特定ページと言う。）の索引情報を表示部６に表示する。すなわち、ページ特定部１０によって所定ページが特定された場合、情報表示部１１は、記憶部４から当該被特定ページに対応する索引情報を読み出し、該索引情報に係る画像（以下、索引情報と略する。）を表示部６に表示する。
【００５２】
一方、縁部画像１３にて複数の位置指定を受け付ける場合が想定できる。例えば、利用者が表示部６の表示画面（位置受付部８）に食指を接触している状態にて、中指をスライドさせることにより、位置受付部８が他の複数位置の位置指定を受け付けた場合、情報表示部１１は最後の位置指定に係るページの索引情報のみを表示する。
【００５３】
図４は本発明の実施の形態１に係る書籍データ表示装置１００の情報表示部１１の作用を説明する説明図である。説明の便宜上、表示部６に表示された電子書籍の右ページＲの縁部画像１３を利用者がタッチする場合を例として説明する。
【００５４】
例えば、利用者が表示部６の表示画面（位置受付部８）に食指を接触している状態にて、中指を「１」の位置から「２」の位置までスライドさせて停止した場合、位置受付部８は、中指が停止した位置の位置指定を受け付け、この位置の座標を特定する信号をＣＰＵ１及びページ特定部１０に送出する。例えば、前記「２」の位置は右ページＲの縁部画像１３の幅方向において、右端から２／３の位置である。
【００５５】
ページ特定部１０は位置受付部８から取得した前記座標を特定する信号に基づき、「２」の位置が、右ページＲの縁部画像１３の幅方向において、右端から２／３の位置であると判定し、上述したように、右ページＲの縁部画像１３が５２〜３００ページに該当する場合は、５２〜３００ページの２／３に相当する１３５ページを特定する。情報表示部１１は、既に表示されていた「１」の位置に係るページの索引情報を削除し、「２」の位置に係るページの索引情報を表示部６に表示する。
【００５６】
一方、利用者が表示部６の表示画面（位置受付部８）に食指を接触している状態にて、中指を「１」の位置から他の位置までスライドさせる操作を行った場合、ＣＰＵ１は位置受付部８から取得した信号に基づく座標から、食指に係る位置と、中指に係る位置との間の距離を測定する。また、ＣＰＵ１は測定された距離を記憶部４に記憶されている閾値と比較し、該閾値以下である場合、ページ特定部１０及び情報表示部１１に、当該処理を中止するように指示すると共に、既に受け付けた位置指示をすべて無効にする。該閾値は、例えば、１．５ｃｍである。
【００５７】
また、利用者が表示部６の表示画面（位置受付部８）に食指を接触している状態にて、中指を「１」の位置から、食指に着くまで（「３」の位置まで）スライドさせる操作を行った場合、ＣＰＵ１は食指に係る位置と、中指に係る位置との間の距離を前記閾値以下であると判定するので、ページ特定部１０及び情報表示部１１による処理は中止され、既に受け付けた位置指示はすべて無効になる。
【００５８】
更に、情報表示部１１による索引情報の表示は、以上の記載に限るものでない。例えば、縁部画像１３にて位置指定を受け付けた場合、該位置指定に係るページが表示中のページから何ページ前か又は何ページ後かを、情報表示部１１が表示するように構成しても良い。
【００５９】
また、動画表示部１２は、記憶部４に記憶されている動画データ１又は動画データ２に基づき、表示部６の画面上にて、表示された電子書籍のページの画像をページ番号の昇順又は降順方向に捲る、動画の表示を行い、実物の本のページめくりを疑似的に実現するめくり表示を行う。斯かる動画は、実物の本をめくるような視覚的効果を演出する公知のものである
【００６０】
図５及び図６は本発明の実施の形態１に係る書籍データ表示装置１００の動画表示部１２による動画表示を説明する説明図である。
【００６１】
動画表示部１２は記憶部４に記憶されている動画データ１に基づき、図５に示すように、電子書籍のページをページ番号の昇順方向にめくる動画（以下、昇順方向めくり動画と言う。）を表示部６の画面上に表示する。また、動画表示部１２は記憶部４に記憶されている動画データ２に基づき、図６に示すように、電子書籍のページをページ番号の降順方向にめくる動画（以下、降順方向めくり動画と言う。）を表示部６の画面上に表示する。
【００６２】
図７は本発明の実施の形態１に係る書籍データ表示装置１００の処理を説明するフローチャートである。説明の便宜上、図４に基づいて説明する。
【００６３】
利用者が書籍データ表示装置１００の電源（図示せず）をオンにすると、システムチェックが行われ、問題がなければ初期画面として電子書籍の選択画面が表示される。そして、その中から希望する電子書籍が選択されると、選択された電子書籍が表示部６に表示される。以降、利用者は適宜操作（例えば、タッチ操作）を行い、該電子書籍のページをめくり、所定のページを表示させる。
【００６４】
次いで、図４に示すように、利用者は表示部６の表示画面（位置受付部８）に右手の食指及び中指を共に接触する。これにより、位置受付部８は、食指でタッチされた位置と、中指にてタッチされた位置の位置指定を受け付ける（ステップＳ１０１）。このようにして、利用者から受け付けた位置指定に係る２つの位置の座標を特定する信号は、位置受付部８によって、ＣＰＵ１及びページ特定部１０に送出される。
【００６５】
ＣＰＵ１は、位置受付部８からの信号に係る座標に基づき、何れか一方の位置指定に係る位置が縁部画像１３の内側であるか否かを判定する（ステップＳ１０２）。ＣＰＵ１は、何れの位置指定に係る位置も縁部画像１３の内側でないと判定した場合（ステップＳ１０２：ＮＯ）、受け付けた２つの位置指定を無効にし、処理をステップＳ１０１に戻す。又は、受け付けた２つの位置指定の何れに係る位置も縁部画像１３の内側でない場合に応じた他の処理が適宜行われる。
【００６６】
一方、ＣＰＵ１が何れか一方の位置指定に係る位置が縁部画像１３の内側であると判定した場合（ステップＳ１０２：ＹＥＳ）、例えば、中指にてタッチした位置が縁部画像１３の内側（図４の「１」の位置）である場合、ページ特定部１０は、位置受付部８から取得した中指のタッチ位置に係る座標を特定する信号に基づき、該位置に対応するページを特定する（ステップＳ１０３）。ページ特定部１０によるページ特定の処理は上述したとおりであり、詳しい説明を省略する。
【００６７】
次いで、情報表示部１１は、被特定ページに対応する索引情報を記憶部４から読み出し、読み出した索引情報を表示部６に表示する（ステップＳ１０４）。情報表示部１１による索引情報表示の処理は上述したとおりであり、詳しい説明を省略する。
【００６８】
ＣＰＵ１は、位置受付部８を介して利用者の食指及び中指と表示画面（位置受付部８）との接触及び非接触を監視し、何れか一方の接触の離隔があったか否かを判定する（ステップＳ１０５）。
【００６９】
ＣＰＵ１は、利用者の食指及び中指の中、何れも表示画面（位置受付部８）から離隔されていないと判定した場合（ステップＳ１０５：ＮＯ）、位置受付部８を監視することにより、他の位置指定を受け付けたか否かを判定する（ステップＳ１０８）。
【００７０】
例えば、図４に示すように、利用者が中指を「１」の位置から「２」の位置までスライドさせて停止した場合、位置受付部８は中指が停止した位置の位置指定を新たに受け付け、この位置の座標を特定する信号をＣＰＵ１及びページ特定部１０に送出する。斯かる際、ＣＰＵ１は、位置受付部８からの信号に基づき、他の位置指定を受け付けたと判定し（ステップＳ１０８：ＹＥＳ）、処理をステップＳ１０３に戻す。
【００７１】
また、ＣＰＵ１は、位置受付部８からの信号に基づき、他の位置指定を受け付けていないと判定した場合（ステップＳ１０８：ＮＯ）、処理をステップＳ１０５に戻す。
【００７２】
一方、ステップＳ１０５にて、ＣＰＵ１は何れか一方の接触の離隔があったと判定した場合（ステップＳ１０５：ＹＥＳ）、前記被特定ページの表示を表示制御部７に指示する。ＣＰＵ１の指示に応じて、表示制御部７は、記憶部４の書籍データ４１に基づき、前記被特定ページの画像を表示部６に表示する（ステップＳ１０６）。
【００７３】
この際、当該電子書籍の表示中のページが変更されるので、縁表示部９は、電子書籍の総ページ数、現在表示中のページ番号に応じて、縁部画像１３を更新して表示する（ステップＳ１０７）。縁表示部９による縁部表示の処理は上述したとおりであり、詳しい説明を省略する。
【００７４】
以上の記載においては、利用者の食指及び中指の何れか一方が表示画面（位置受付部８）から離隔したとき、被特定ページの画像の表示が行われる場合を例として説明したが、これに限るものでなく、両方が表示画面から離隔したとき、被特定ページの画像の表示が行われるように構成しても良い。
【００７５】
（実施の形態２）
図８は本発明の実施の形態２に係る書籍データ表示装置１００の処理を説明するフローチャートである。説明の便宜上、図４に基づいて説明する。
【００７６】
利用者が書籍データ表示装置１００の電源（図示せず）をオンにすると、システムチェックが行われ、問題がなければ初期画面として電子書籍の選択画面が表示される。そして、その中から希望する電子書籍が選択されると、選択された電子書籍が表示部６に表示される。以降、利用者は適宜操作（例えば、タッチ操作）を行い、該電子書籍のページをめくり、所定のページを表示させる。
【００７７】
次いで、図４に示すように、選択された電子書籍の両開きの画像が表示部６に表示されている場合、利用者は表示部６の表示画面（位置受付部８）に右手の食指及び中指を共に接触する。これにより、位置受付部８は、食指でタッチされた位置と、中指にてタッチされた位置の位置指定を受け付ける（ステップＳ２０１）。
【００７８】
ＣＰＵ１は、位置受付部８からの信号に係る座標に基づき、何れか一方の位置指定に係る位置が縁部画像１３の内側であるか否かを判定する（ステップＳ２０２）。ＣＰＵ１は、何れの位置指定に係る位置も縁部画像１３の内側でないと判定した場合（ステップＳ２０２：ＮＯ）、受け付けた２つの位置指定を無効にし、処理をステップＳ２０１に戻す。
【００７９】
一方、ＣＰＵ１が何れか一方の位置指定に係る位置が縁部画像１３の内側であると判定した場合（ステップＳ２０２：ＹＥＳ）、例えば、中指にてタッチした位置が縁部画像１３の内側（図４の右ページＲの「１」の位置）である場合、ページ特定部１０は、位置受付部８から取得した中指のタッチ位置に係る座標を特定する信号に基づき、該位置に対応するページを特定する（ステップＳ２０３）。
【００８０】
次いで、情報表示部１１は、被特定ページに対応する索引情報を記憶部４から読み出し、読み出した索引情報を表示部６に表示する（ステップＳ２０４）。
【００８１】
ＣＰＵ１は、位置受付部８を介して利用者の食指及び中指と表示画面（位置受付部８）との接触及び非接触を監視し、何れか一方の接触の離隔があったか否かを判定する（ステップＳ２０５）。
【００８２】
ＣＰＵ１は、利用者の食指及び中指の中、何れも表示画面（位置受付部８）から離隔されていないと判定した場合（ステップＳ２０５：ＮＯ）、位置受付部８を監視することにより、他の位置指定を受け付けたか否かを判定する（ステップＳ２１０）。
【００８３】
例えば、図４に示すように、利用者が中指を「１」の位置から「２」の位置までスライドさせて停止した場合、これによって位置受付部８から送られる信号に基づき、ＣＰＵ１は、他の位置指定を受け付けたと判定し（ステップＳ２１０：ＹＥＳ）、処理をステップＳ２０３に戻す。また、ＣＰＵ１は、位置受付部８からの信号に基づき、他の位置指定を受け付けていないと判定した場合（ステップＳ２１０：ＮＯ）、処理をステップＳ２０５に戻す。
【００８４】
一方、ステップＳ２０５にて、ＣＰＵ１は何れか一方の接触の離隔があったと判定した場合（ステップＳ２０５：ＹＥＳ）、位置受付部８から取得した信号に係る座標に基づき、受け付けた縁部画像１３の内側での位置指定が、左ページＬの縁部画像１３での位置指定であるか否かを判定する（ステップＳ２０６）。
【００８５】
ＣＰＵ１が、受け付けた縁部画像１３の内側での位置指定を、左ページＬの縁部画像１３での位置指定でないと判定した場合（ステップＳ２０６：ＮＯ）、動画表示部１２は、記憶部４に記憶されている動画データ１に基づき、昇順方向めくり動画を表示部６に表示する（ステップＳ２１１）。以降、処理はステップＳ２０８に進む。
【００８６】
一方、ＣＰＵ１が、受け付けた縁部画像１３の内側での位置指定を、左ページＬの縁部画像１３での位置指定であると判定した場合（ステップＳ２０６：ＹＥＳ）、動画表示部１２は、記憶部４に記憶されている動画データ２に基づき、降順方向めくり動画を表示部６に表示する（ステップＳ２０７）。
【００８７】
この後、表示制御部７は、記憶部４の書籍データ４１に基づき、前記被特定ページの画像を表示部６に表示する（ステップＳ２０８）。
【００８８】
この際、当該電子書籍の表示中のページが変更されるので、縁表示部９は、電子書籍の総ページ数、現在表示中のページ番号に応じて、縁部画像１３を更新して表示する（ステップＳ２０９）。
【００８９】
以上の記載においては、常に同一の降順方向めくり動画又は昇順方向めくり動画が表示される場合を例として説明したが、これに限るものでない。例えば、現在表示中のページ（番号）と、被特定ページ（番号）との差によって、表示される昇順方向めくり動画又は降順方向めくり動画が異なるように構成しても良い。
【００９０】
すなわち、現在表示中のページと、被特定ページとの差が大きい程、昇順方向めくり動画又は降順方向めくり動画において、めくられるページの数が増えるように構成してもよい。また、昇順方向めくり動画又は降順方向めくり動画において、現在表示中のページと、被特定ページとの差（数）だけ、ページがめくられるように構成しても良い。
【００９１】
例えば、利用者によって、図４の「１」の位置にて位置指定を受け付けた場合は、図９に示すような、昇順方向めくり動画が表示され、図４の「２」の位置にて位置指定を受け付けた場合は、図５に示すような、昇順方向めくり動画が表示される。
【００９２】
また、以上の記載においては、利用者の食指及び中指の何れか一方が表示画面（位置受付部８）から離隔したとき、昇順方向めくり動画又は降順方向めくり動画が表示される場合を例として説明したが、これに限るものでない。例えば、昇順方向めくり動画又は降順方向めくり動画が表示されている途中、離隔していた指が再び表示画面と接触した場合、当該動画の表示が中止され、この際、めくりかけであったページが表示されるように構成しても良い。
【００９３】
実施の形態１と同様の部分については、同一の符号を付して詳細な説明を省略する。
【００９４】
以上の記載においては、本発明に係る表示装置、表示方法及びコンピュータプログラムを、いわゆる書籍データ表示装置に適用した場合を例として説明したが、これに限るものでなく、表示部を有する、複合機、ＰＤＡ等にも適用可能である。
【００９５】
また、以上の記載においては、書籍データ表示装置の表示部に電子書籍の２つのページが両開きの状態にて表示されている場合を例として説明したが、これに限るものでなく、片ページのみが表示される場合においても適用可能である。
【００９６】
（実施の形態３）
図１０は本発明の実施の形態３の書籍データ表示装置１００の要部構成を示す機能ブロック図である。実施の形態３の書籍データ表示装置１００は、動作を行うためのコンピュータプログラムが、Ｉ／Ｆ５を介してＣＤ−ＲＯＭ等の可搬型記録媒体Ａで提供することも可能であるように構成されている。さらに、実施の形態３の書籍データ表示装置１００は、前記コンピュータプログラムを、図示しない外部装置から通信部１４を介してダウンロードすることも可能であるように構成されている。以下に、その内容を説明する。
【００９７】
実施の形態３の書籍データ表示装置１００は外装（又は内装）の記録媒体読み取り装置（図示せず）を備えており、該記録媒体読み取り装置に、電子書籍（画像群）の総ページ数、表示中のページ番号に応じて、重なった複数ページ夫々の縁部が列なった縁部画像１３を表示させ、位置受付部８（位置受付手段）が縁部画像１３の内で位置指定を受け付けた場合、受け付けた位置指定に係る位置に基づき、ページを特定させ、特定されたページの索引情報を表示させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態１の本発明の書籍データ表示装置１００として機能する。
【００９８】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００９９】
通信部１４を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１００】
実施の形態１と同様の部分については、同一の符号を付して詳細な説明を省略する。
【符号の説明】
【０１０１】
１  ＣＰＵ
４  記憶部
４４  索引情報
６  表示部
７  表示制御部
８  位置受付部
８１  タッチパネル
９  縁表示部
１０  ページ特定部
１１  情報表示部
１２  動画表示部
１００  書籍データ表示装置
Ａ  記録媒体
【図１】
2012190277.tif 000003
【図２】
2012190277.tif 000004
【図３】
2012190277.tif 000005
【図４】
2012190277.tif 000006
【図５】
2012190277.tif 000007
【図６】
2012190277.tif 000008
【図７】
2012190277.tif 000009
【図８】
2012190277.tif 000010
【図９】
2012190277.tif 000011
【図１０】
2012190277.tif 000012